(57)【要約】      （修正有）【課題】ランドセルの後方への倒れを防止できるとともに、収納時に肩ベルトが傷むことを防止できるランドセルの肩ベルト上端取付環を提供する。【解決手段】取付ベース３と取付ベース正面を覆う正面ベースを備える取付環本体と、左右方向に延びる連結孔１５を有する連結部８を上端部に具備して上方部分を取付環本体の上方に突出させた状態で取付環本体内に回動自在に連結された一対の連結用アーム６と、連結用アームの上端部互いに離反する方向への移動を制御するスプリングと、肩ベルト上端が固定されるとともに連結孔内に挿入される下辺部分１２を有する一対の連結環１１を具備し、下辺部分を扁平に形成し、連結孔は、下辺部分が回動自在な大径部２１と大径部に連続した嵌合部２２を有し、嵌合部は、下辺部分が回動不能に嵌合可能であり下辺部分を嵌合したときに肩ベルト上端部分が上方向に向いた状態になるような形状にした。【選択図】図１
0003205606.tif 000002
【実用新案登録請求の範囲】
【請求項１】
ランドセルの背板の上部に取り付けられる取付ベース（３）と、該取付ベース（３）の正面側を覆う正面側ベース（４）と、を備える中空の取付環本体（２）と、
上方部分を前記取付環本体（２）の上方に突出させた状態で前記取付環本体（２）内に回動自在に連結された、左右方向に延びる連結孔（１５）を有する連結部（８）が上端部に備えられた一対の連結用アーム（６）と、
前記取付環本体（２）内に収容された、前記連結用アーム（６）の上端部が互いに離反する方向に移動することを制御するスプリング（１０）と、
ランドセルの肩ベルトのそれぞれの上端が固定される上辺部分（１３）と、前記連結孔（１５）内に挿入される下辺部分（１２）と、を有している一対の連結環（１１）と、
該連結環（１１）の前記上辺部分（１３）に突設した回動阻止辺（１６）と、を有するランドセルの肩ベルト上端取付環（１）であって、
前記下辺部分（１２）は一部又は全部が扁平な形状に形成され、
前記連結孔（１５）は、大径部（２１）と該大径部（２１）に連続した嵌合部（２２）とを具備し、前記大径部（２１）は前記下辺部分（１２）が回動自在であり、前記嵌合部（２２）は、前記下辺部分（１２）が回動不能に嵌合可能であるとともに、下辺部分（１２）を嵌合したときに、肩ベルトの上端部分が上方向に向いた状態になるような形状に形成した、ことを特徴とするランドセルの肩ベルト上端取付環。
【請求項２】
前記連結アーム（６）が金属製であることを特徴とする請求項１に記載のランドセルの肩ベルト上端取付環。
【請求項３】
前記連結アーム（６）が樹脂製であることを特徴とする請求項１に記載のランドセルの肩ベルト上端取付環。
【請求項４】
先端部に掛止環（１８）を有した掛止部（１７）を、下方部分を前記取付環本体（２）内に挿入するとともに、上下方向に移動自在に前記取付環本体（２）に係止した、ことを特徴とする請求項１乃至請求項３のいずれかに記載のランドセルの肩ベルト上端取付環。
【考案の詳細な説明】
【技術分野】
【０００１】
本発明は、ランドセルの肩ベルト上端取付環に係り、より詳しくは、ランドセルが後方へ倒れることを防止するとともにランドセル収納時の肩ベルトの損傷を防止可能としたランドセルの肩ベルト上端取付環に関する。
【背景技術】
【０００２】
周知のように、ランドセルは肩ベルトのみによって児童の体に支持されるが、このとき、肩ベルトの長さが最適であり、従って肩ベルトのほぼ全体が児童の体にフィットしていれば、ランドセルの重量による負荷は、肩ベルトを介して肩ベルトに当接している児童のからだ全体に加わり、これにより児童が受けるランドセルの重さ感は少なくなる。
【０００３】
しかし、特に入学間もない低学年の場合は、体の大きさに対して肩ベルトを含んだランドセル全体が大きく、また、肩ベルトの長さが短すぎるとランドセルを背負う動作及びこれを降ろす動作をスムーズに行うことができないため、肩ベルトが少し長めになってしまうことが一般的である。そのためかかる場合には、ランドセルを背負った際に、肩ベルトの全体が児童の体に均等にフィットすることが困難となり、ランドセルが児童の後方側へ倒れてしまい、それにより、ランドセル本体の上方部分と児童の背中との間に隙間が生じてしまい、児童の肩の部分にランドセルの加重が集中してしまう。
【０００４】
このとき、入学間もない１年生の場合は、平均体重が２１ｋｇ前後であるのに対して、ランドセルが約１ｋｇ前後、教科書等が約１ｋｇ前後であり、体重の約１割前後を背負うことになるために、ランドセルが児童の背中にフィットしている場合でもランドセルの重さが苦痛となるが、更に、児童の背中とランドセルの背当て部分の間に隙間が生じてしまい、これにより児童が感じるランドセルの重さが大きくなってしまうと、通学が苦痛となってしまい、場合によっては学校へ行きたくなくなってしまうことも考えられる。
【０００５】
そこで、過去において、ランドセルが児童の後方側へ倒れてしまい、それにより、ランドセル本体の上方部分と児童の背中との間に隙間が生じてしまうことを防止するために、肩ベルトを上方向へ向いた状態でランドセルに取り付けることを可能にしたランドセルの肩ベルト上端取付環（以下単に「取付環」と言う。）が提案されている。そして、肩ベルトを上方向へ向いた状態でランドセルに取り付ける方法としては、取付環の左右の揺動レバーの上端に肩ベルトの上端を収容する箱状の挿入部を形成し、この挿入部内に肩ベルトの上端を嵌入して固定する方法や、肩ベルトの上端を取り付ける連結環を取付環の取り付け具に連結する構成において、連結環の取付具に対する回動を拘束する方法等が提案されている。
【先行技術文献】
【特許文献】
【０００６】
【特許文献１】実用新案登録第３１８９７４１号公報
【特許文献２】実用新案登録第３１０５８４９号公報
【特許文献３】実用新案登録第３１１８０３１号公報
【特許文献４】特開２００４−８１８００号公報
【特許文献５】特開２００３−３３９４１９号公報
【考案の概要】
【考案が解決しようとする課題】
【０００７】
ところで、ランドセルは通常の使用状態では、肩ベルトが背板側に向いており背負える状態にしているが、出荷等のために箱に収納する場合には、肩ベルトを正面側に向け、蓋に沿うようにすることが一般的である。そしてこのとき、前述したように肩ベルトを上方向へ向いた状態でランドセルに取り付けることを可能にした取付環を採用している場合には、肩ベルトの上端部分が正面側に向けて折れた状態になってしまい、それにより、肩ベルトが傷みやすくなってしまうという問題点が指摘されていた。
【０００８】
この関係を図７を参照して説明すると、図７は、特許文献１、２、３に示すように、肩ベルトの上端を取り付ける連結環を、回動を拘束した状態で取付具に連結する方法を用いたランドセルの一部を側面から示した図であり、肩ベルトを正面側に向けて蓋に沿うようにしている状態を示している。
【０００９】
そして、図において３１がランドセル本体、３２がランドセルの蓋、３３がランドセルの肩ベルトである。また、図において４１が取付環であり、この取付環４１は、ランドセル３１の背板３４の上部に取り付けられる取付ベース４２と、この取付ベース４２の正面側（反ランドセル側）に装着された正面側ベース４３を有している。
【００１０】
また、取付環４１は一対の取付具４４を有しており、この一対の取付具４４は、上方部分を取付環４１の上方に突出させた状態で、取付環４１内に回動自在に連結されるとともに、取付環４１内に配置されたスプリング（図示せず）によって、先端部が互いに離反する方向へ移動することが制御されている。そして、取付具の上端部には、左右方向に延びる連結孔４６を有する連結部４５が備えられている。
【００１１】
一方、肩ベルト３３の上端はそれぞれ連結環４７に連結されている。そして、この連結環４７は、略三角形状であるとともに、下辺部分が連結部４５の連結孔４６内に挿入されることで取付具４４に連結され、これにより、ランドセルの肩ベルトが取付環４１に連結されている。
【００１２】
また、連結部４５の連結孔４６は、縦長の楕円形状とした扁平な形状に加工されている一方、連結環４７における連結孔内に挿入される部分は、連結孔４６の形状に合わせて扁平な形状にしており、これにより、連結部４５に対して連結環４７が回動することを阻止している。更に、連結環４７には回動阻止辺４８が備えられており、この回動阻止辺４８によって、肩ベルト３３が上方向へ向いた状態で取付環４１に連結されることとしている。
【００１３】
そして、このような構成の取付環４１に肩ベルト３３を連結している場合において、肩ベルト３３をランドセル３１の正面側に向けて蓋３２に沿わせた場合には、図７からも明らかなように、回動阻止辺４８の上端部分近傍で肩ベルト３３がランドセル３１の正面側に急激に折れ曲がってしまう。そのため、前述したように、肩ベルトを上方向へ向いた状態でランドセルに取り付けることを可能にした取付環を採用している場合には、収納に際して肩ベルトを正面側に向けたときには、肩ベルトの上端部分が正面側に向けて折れた状態になってしまい、それにより、肩ベルトが傷みやすくなってしまっていた。
【００１４】
また、このような問題点は、例えば学校や自宅で、ランドセルを肩から下して棚等に収納するときも同じである。即ち、ランドセルを棚等に収納する場合に、棚等の収容スペースが少ない場合には、回動阻止辺４８の上端部分近傍で肩ベルト３３の上端部分が正面側に向けて折れた状態になってしまい、それにより、肩ベルトが傷みやすくなってしまっていた。更に、棚等の収容スペースが少ない場合に強引にランドセルを収納した場合には、連結環４７や取付具４４が壊れてしまうおそれも考えられる。
【００１５】
そこで、本考案は、ランドセルの後方への倒れを防止可能であるとともに、収納の際に肩ベルトが傷んでしまうことをも防止可能としたランドセルの肩ベルト上端取付環を提供することを課題としている。
【課題を解決するための手段】
【００１６】
本考案のランドセルの肩ベルト上端取付環は、
ランドセルの背板の上部に取り付けられる取付ベースと、該取付ベースの正面側を覆う正面側ベースと、を備える中空の取付環本体と、
上方部分を前記取付環本体の上方に突出させた状態で前記取付環本体内に回動自在に連結された、左右方向に延びる連結孔を有する連結部が上端部に備えられた一対の連結用アームと、
前記取付環本体内に収容された、前記連結用アームの上端部が互いに離反する方向に移動することを制御するスプリングと、
ランドセルの肩ベルトのそれぞれの上端が固定される上辺部分と、前記連結孔内に挿入される下辺部分と、を有している一対の連結環と、
該連結環の前記上辺部分に突設した回動阻止辺と、を有するランドセルの肩ベルト上端取付環であって、
前記下辺部分は一部又は全部が扁平な形状に形成され、
前記連結孔は、大径部と該大径部に連続した嵌合部とを具備し、前記大径部は前記下辺部分が回動自在であり、前記嵌合部は、前記下辺部分が回動不能に嵌合可能であるとともに、下辺部分を嵌合したときに、肩ベルトの上端部分が上方向に向いた状態になるような形状に形成した、ことを特徴としている。
【考案の効果】
【００１７】
本考案のランドセルの肩ベルト上端取付環は、左右方向に延びる連結孔を有する連結部が上端部に備えられた一対の連結用アームと、ランドセルの肩ベルトのそれぞれの上端が固定される上辺部分と連結用アームの連結孔内に挿入される下辺部分とを有している一対の連結環と、この連結環の上辺部分に突設した回動阻止辺を有するランドセルの肩ベルト上端取付環において、下辺部分の一部又は全部を扁平な形状に形成し、連結孔は、大径部と大径部に連続した嵌合部とを具備し、大径部は下辺部分が回動自在であり、嵌合部は、下辺部分が回動不能に嵌合可能であるとともに、下辺部分を嵌合したときに、肩ベルトの上端部分が上方向に向いた状態になるような形状としている。
【００１８】
そのために、本考案の取付環では、嵌合部に下辺部分を嵌合させて下辺部分を回動不能にすることで、連結環が回動することを阻止することができ、それにより肩ベルトを上方向へ向いた状態で固定してランドセルが児童の後方側へ倒れてしまうことを防止することができる。また、下辺部分を大径部に挿入して下辺部分を回動自在にすることで、連結部に対して連結環を回動自在にすることができ、それにより、肩ベルトをランドセルの正面側に回した場合に肩ベルトの上端部分が正面側に向けて折れた状態になることを防止することができる。更に、下辺部分を大径部に挿入して下辺部分を回動自在にして連結部に対して連結環を回動自在にすることで、ランドセルを棚等に収納する場合に、回動阻止辺の上端部分近傍で肩ベルトの上端部分が正面側に向けて折れた状態になることも防止することが可能であるとともに、強引にランドセルを収納しようとした場合でも取付環が壊れてしまうことも防止可能である。
【図面の簡単な説明】
【００１９】
【図１】本考案のランドセルの肩ベルト上端取付環の実施例を正面から示した図である。
【図２】本考案のランドセルの肩ベルト上端取付環の実施例における取付管本体を説明するための図であり、平面から見た状態を示している。
【図３】本考案のランドセルの肩ベルト上端取付環の実施例における連結環を説明するための図である。
【図４】本考案のランドセルの肩ベルト上端取付環の実施例における連結孔を説明するための図である。
【図５】本考案のランドセルの肩ベルト上端取付環の実施例の作用を説明するための断面図である。
【図６】本考案のランドセルの肩ベルト上端取付環の実施例の作用を説明するための断面図である。
【図７】従来のランドセルの肩ベルト上端取付環の問題点を説明するための断面図である。
【考案を実施するための形態】
【００２０】
本考案のランドセルの肩ベルト上端取付環では、ランドセルの背板の上部に取り付けられる取付環本体を有しており、この取付環本体は、ランドセルの背板の上部に取り付けられる取付ベースと、この取付ベースの正面側を覆う正面側ベースを備えて構成され中空としている。
【００２１】
また、本考案のランドセルの肩ベルト上端取付環では、金属製あるいは樹脂製の一対の連結アームを有しており、この連結アームはそれぞれ、左右方向に延びる連結孔を有する連結部が上端部に備えられている。そして、この連結アームはそれぞれ、上方部分を取付環本体の上方に突出させた状態で、取付環本体内に回動自在に連結されているとともに、取付環本体内に配置されたスプリングによって、上端部が互いに離反する方向へ移動することが制御されている。
【００２２】
更に、本考案の肩ベルト上端取付環では、ランドセルの肩ベルトのそれぞれの上端が固定される一対の連結環を有している。そして、この連結環はそれぞれ、ランドセルの肩ベルトの上端が固定される上辺部分と、連結部における連結孔内に挿入される下辺部分を有しており、下辺部分を連結孔内に挿入することで、連結アームに連結され、これにより、ランドセルの肩ベルトを本考案の肩ベルト上端取付環に連結することを可能としている。
【００２３】
また、連結環の上辺部分には回動阻止辺が突設されており、肩ベルトはこの回動阻止辺を被覆する形態で上辺部分に巻き回されており、これにより、上辺部分に固定した肩ベルトが回動することを阻止し、肩ベルトを上方向へ向いた状態で維持することが可能となる。
【００２４】
そして、本考案においては、下辺部分の一部又は全部を扁平な形状にしている。また、連結用アームの連結部に形成した連結孔は、大径部と、この大径部に連続した嵌合部とを具備しており、大径部は、連結管の下辺部分が回動自在としている。更に、嵌合部は、下辺部分が回動不能に嵌合可能であるとともに、下辺部分を嵌合したときに、肩ベルトの上端部分が上方向に向いた状態になるような形状に形成している。
【００２５】
ここで、先端部に掛止環を有した掛止部を、下方部分を取付環本体内に挿入した状態で、上下方向に移動自在に取付環本体に係止するとよく、これにより、ランドセルをフック等に吊るすことが可能となる。
【実施例１】
【００２６】
本考案の取付環の実施例について図面を参照して説明すると、図１は本実施例の取付環１の内部構造を正面から示した図である。
【００２７】
そして、本実施例における取付環１は、中空の取付環本体２を有している。ここで図２は、取付管本体２を平面から示した図であり、図において前記取付環本体２は、変形の横長の長方形状としており、図７に示した従来の取付環４１と同様に、取付ベース３と、この取付ベース３とほぼ同じ外形状の正面側ベース４を有しており、正面側ベース４は取付ベース３の正面側（反ランドセル側）に装着されている。
【００２８】
また、前記正面側ベース４は、上辺部分を除いた周縁部に、取付ベース３側に向けて縁部５が突設されており、これにより、前記取付環本体２は中空としていり、ビス等１９によってランドセルの背板の上部に取り付けられている。
【００２９】
次に、図１において６は、連結用アームである。即ち、本実施例の取付環１では一対の連結用アーム６を有しており、この連結用アーム６はそれぞれ、下端部近傍部分が、前記取付環本体２内において、軸７によって回動自在に前記取付環本体２に連結されている。
【００３０】
また、前記一対の連結用アーム６はそれぞれ、上方部分が、前記取付環本体２の上端に形成したスリット部９（図２参照）を貫通して取付環本体２の上方に突出され、上端には、肩ベルトを取り付けるための連結部８が形成されている。
【００３１】
そして前記連結部８には、左右方向に向けて連結孔１５が形成されている。また、前記スリット９の左右側の幅寸法は、前記連結用アーム６の幅寸法よりも長めの寸法に形成しており、これにより、連結用アーム６の左右方向への移動を、所定距離分だけ許容している。なお、連結用アーム６の素材は特に限定されず、金属製、樹脂製等、いずれで構成しても良い。
【００３２】
次に、図において１０はスプリングである。即ち、本実施例の取付環１では、前記取付環本体２内にスプリング１０を収容しており、このスプリング１０によって、前記連結アーム６を、上端部が互いに離反する方向へ移動することを制御している。即ち、何らの力を加えない場合には連結用アーム６の上端部は、スプリングの付勢力によって、互いに離反する方向へ移動することは無い。
【００３３】
そして、この構成により、前記一対の連結用アーム６はそれぞれ、上端部が互いに離反する方向へ力を加えることにより、上端部は、スプリング１０の付勢力に対抗して互いに離反する方向へ移動して左右方向へ開き、この状態で前記力を解除することで、スプリング１０の付勢力によって、連結用アーム６を初期の状態に戻すことを可能としている。そしてこれにより、ランドセル背負う際にベルトの幅を広げることを可能とし、ランドセルを背負い易くしている。なお、図において２０は、前記連結用アーム６の上端部が互いに接触する方向へ移動することを防止するためのストッパーであり、このストッパー２０により前記連結用アーム６は、何らの力も加えない状態（通常状態）では、上方に向いた上方となっている。
【００３４】
次に、図において１１は、ランドセルの肩ベルトを前記取付環１に連結するための連結環である。即ち、本実施例の取付環１では、ランドセルの肩ベルトを前記取付環１に連結するための一対の連結環１１を有している。そして、この連結環１１は、金属製の丸棒材を変形の四角形状に成形して構成されており、下辺部分１２と、ランドセルの肩ベルトのそれぞれの上端が固定される上辺部分１３と、前記下辺部分１２の端部と前記上辺部分１３の端部とをそれぞれ連結した垂直辺部分１４ａ、１４ｂとを有している。そして、前記下辺部分１２は前記連結孔１５内に挿入され、それにより、連結環１１を連結用アーム６に連結することとしている。
【００３５】
また、前記上辺部分１３には、肩ベルトを上方向へ向いた状態で取付環１に取り付けるための回動阻止辺を取り付けている。即ち、図において１６が回動阻止辺であり、本実施例の取付環１では、金属製の板状の回動阻止辺１６を前記連結環１１の上辺部分に溶接、接着等によって固着している。そして、肩ベルトを上辺部分１３に連結する際には、肩ベルトの上端部分で前記回動阻止辺１６を被覆するようにして、肩ベルトの上端部分で前記上辺部分１３を巻き回して、その後に、回動阻止辺１６を挟み込んだ状態で、回動阻止辺１６と肩ベルトをリベット等で貫通して固定し、前記連結環１１に肩ベルトの上端部分を固定している。そしてこれにより、連結管１１に対して肩ベルトが回動することが阻止される。
【００３６】
ここで、前記連結環１１と前記連結用アーム６との連結構造について説明すると、図３は前記連結環１１の一方を示す斜視図であり、図４は前記連結用アーム６における連結部８の近傍を示す斜視図である。
【００３７】
そして、図３において、前記連結環１１の下辺部分１２は、扁平な形状に成形している。また、前記下辺部分１２は、長手方向に見た中央部分近傍で切断しており、これにより、それぞれの下辺部分１２を連結孔１５の両側から差し込んでいき、それにより下辺部分１２を連結孔１５に挿入することとしている。
【００３８】
一方、図４において１５は、前記下辺部分１２が挿入される連結孔であり、本実施例における連結孔１５は、大径部と嵌合部により構成されており、この大径部と嵌合部は、互いに連通可能なように連続して形成されている。
【００３９】
即ち、図において２１が大径部であり、この大径部２１は、連結部８の下方側に形成されており、前記下辺部分１２が回動自在の寸法の丸孔としている。そして、この大径部２１の上方側には嵌合部２２が、大径部２１に連続して形成されており、この嵌合部２２は、前記下辺部分１２が回動不能に嵌合可能な形状としている。即ち、前記下辺部分１２の形状に合わせて扁平な形状としている。また、前記嵌合部２２は、前記下辺部分１２を嵌合したときに、前記連結環１１の上辺部分１３に固定した肩ベルトの上端部分が上方向に向いた状態になるような形状に形成している。より具体的には、わずかに正面側（背板側）に傾いた上方向になる形状にしている。
【００４０】
そのために、下辺部分１２を嵌合部２２に嵌合して下辺部分１２を回動不能にすると、連結部８に対する連結管１１の回動を阻止することができ、それにより、肩ベルトを上方向へ向いた状態で固定してランドセルが児童の後方側へ倒れてしまうことを防止することができる。この状態を示した図が図５であり、連結部８と連結環１１と肩ベルト２３の一部を側面視野で示している。
【００４１】
一方、下辺部分１２を大径部２１に挿入して下辺部分１２を回動自在にすると、連結部８に対して連結環１１を回動自在にすることができる。そうすると、図６に示すように、肩ベルト２３をランドセルの正面側に回した場合でも、肩ベルト２３の上端部分が正面側に向けて折れた状態になることを防止することが可能である。またこの逆に、肩ベルト２３をランドセルの背板側に回した場合も、肩ベルト２３の上端部分が折れてしまうことを防止することができる。
【００４２】
なお、前述の説明では、大径部２１を連結部８の下方側に形成し大径部２１の上方側には嵌合部２２を形成した場合を説明したが、大径部２１と嵌合部２２の位置関係は特に限定されず、嵌合部２２を連結部８の下方に形成し、大径部２１を嵌合部２２の上方側に形成しても良い。
【００４３】
また、下辺部分１２の形状は特に限定されず、必ずしも偏平にする必要は無く、角型であっても良い。更に、前述の説明では下辺部分１２の全部を扁平に形成したが、下辺部分１２の一部を扁平又は角型に形成しても良い。
【００４４】
そして、大径部２１及び嵌合部２２の形状も特に限定されず、下辺部分１２の形状との関係で、大径部２１は、下辺部分１２が回動自在であればよく、従って、前述の実施例では丸孔にしたが、下辺部分１２が回動自在であれば角型であっても良い。また、嵌合部２２も、下辺部分１２が回動不能に嵌合可能な形状であればいずれの形状でも良い。更に、図において前記連結部８は、側面視野を縦長の偏平な形状としているが、必ずしもこの形状には限定されず、左右方向に向けて連結孔１５が形成されていれば良い。
【００４５】
次に、図において１７は掛止部である。即ち本実施例の取付環１では、ランドセルをフック等に吊るすための掛止部１７を有しており、この掛止部１７は、無端の縦長の長円状として上端部分を大径の掛止環１８としている。そして、掛止環１８が取付環本体の上方に突出する状態で、下方部分が取付環本体２内に上方への移動自在に挿入され、取付環本体内において、掛止部１７を貫通したビス等の軸部材１９によって、取付環本体２からの飛び出しを阻止され、また本実施例においては、前記ストッパー２０によって、左右側へ倒れることが防止されている。
【００４６】
次に、このように構成される本実施例の取付環１の作用について図５及び図６を参照して説明すると、本実施例の取付環１は、一対の連結用アーム６、スプリング１０、掛止部１７を具備した状態で、取付環本体２がビス等１９によってランドセルの背板の上部に取り付けられる。そして、前述したように、前記回動阻止辺１６を被覆するようにして、肩ベルト２３の上端部分を前記上辺部分１３に巻き回して、その後、回動阻止辺１６を挟み込んだ状態で、回動阻止辺１６と肩ベルトをリベット等で貫通して固定し、前記連結環１１に肩ベルト２３の上端部分を固定する。そして更に、肩ベルト２３の上端が連結された連結環１１の下辺部分１２を、連結孔１５の両側から差し込んでいくことで連結孔１５に挿入するとともに、下辺部分１２の先端部を互いに近接又は当接するように、下辺部分１２の両側部分を連結孔１５側に押し込んでいく。そうすると、これにより、肩ベルト２３が取付管１に連結されるとともに、肩ベルト２３は回動阻止辺１６によって連結環１１に対する回動が阻止される。
【００４７】
そして、使用状態にするときには、図５に示すように、下辺部分１２を嵌合部２２に嵌合して下辺部分１２を回動不能にする。そうすると、連結部８に対する連結管１１の回動を阻止することができ、肩ベルト２３を上方向へ向いた状態で固定して、ランドセルが児童の後方側へ倒れてしまうことを防止することができる。そのため、ランドセル本体の上方部分と児童の背中との間に隙間が生じてしまい、それにより児童が感じるランドセルの重さが大きくなってしまうことを防止できる。
【００４８】
一方、ランドセルを箱等に収納するために、肩ベルトをランドセルの正面側に回して蓋に沿わせるときには、下辺部分１２を大径部２１に挿入して下辺部分１２を回動自在にする。そうすると、連結部８に対して連結環１１が回動自在になるため、図６に示すように、肩ベルト２３をランドセルの正面側に回して蓋に沿わせた場合でも、肩ベルト２３の上端部分が正面側に向けて折れた状態になることを防止することが可能である。
【００４９】
また、学校や自宅でランドセルを肩から下して棚等に収納するときには、下辺部分１２を大径部２１に挿入して下辺部分１２を回動自在にして、肩ベルトが上方に向いた状態で固定されることを解除し、連結環１１を図６と逆方向の背板側に倒すことで、肩ベルトの上端部分が収納の邪魔になることを防止することも可能である。
【００５０】
このように、本実施例の取付環では、嵌合部に下辺部分を嵌合させて下辺部分を回動不能にすることで、連結環が回動することを阻止して肩ベルトを上方向へ向いた状態で固定することができる。また、下辺部分を大径部に挿入して下辺部分を回動自在にすることで、連結部に対して連結環を回動自在にすることができ、それにより、肩ベルトをランドセルの正面側に回した場合に肩ベルトの上端部分が正面側に向けて折れた状態になることを防止することができるとともに、連結管をランドセルの正面側に倒すことで、ランドセルを棚等に収納する際に肩ベルトの上端が収納等の邪魔になることをも防止することができる。そのため、肩ベルトを上方向へ向いた状態で固定してランドセルが児童の後方側へ倒れてしまうことを防止することができるとともに、収納等の際に肩ベルトが傷んでしまうことをも防止することが可能である。
【産業上の利用可能性】
【００５１】
本考案では、肩ベルトを上方向へ向いた状態でランドセルに固定することができるとともに、収納等の際に肩ベルトが傷んでしまうことをも防止できるために、ランドセルの肩ベルト上端取付環の全般に適用可能である。
【符号の説明】
【００５２】
１    取付環
２    取付環本体
３    取付ベース
４    正面側ベース
５    縁部
６    連結用アーム
７    連結用アームを軸支する軸
８    連結部
９    スリット
１０    スプリング
１１    連結環
１２    下辺部分
１３    上辺部分
１４    垂直辺部分
１５    連結孔
１６    回動阻止辺
１７    掛止部
１８    掛止環
１９    ビス
２０    ストッパー
２１    大径部
２２    嵌合部
２３    肩ベルトの上端部分
【図１】
0003205606.tif 000003
【図２】
0003205606.tif 000004
【図３】
0003205606.tif 000005
【図４】
0003205606.tif 000006
【図５】
0003205606.tif 000007
【図６】
0003205606.tif 000008
【図７】
0003205606.tif 000009